(57)【特許請求の範囲】
【請求項１】
箱底面板に箱正面板と箱背面板と箱側面板とを連設して箱上面が開口されている箱本体と、前記箱本体の箱背面板に連設されて箱本体の箱上面を覆う蓋上面板に前記箱正面板の外面側に重なる蓋正面板と前記箱側面板の外面側に重なる蓋側面板とを連設した蓋体とからなり、
前記蓋体の蓋正面板の中央に切取部により区画された貼着板を前記箱本体の箱正面板に貼着して、この貼着板を介して蓋正面板が箱正面板に取付固定されているとともに、前記貼着板に対する押し込みによる前記切取部の破断で貼着板を蓋正面板から分離させて蓋正面板と箱正面板とが分離可能に設けられているトップオープンカートンであって、
前記箱本体の箱正面板に箱上面フラップを連設して、該箱上面フラップが箱本体の内部に向けて折り倒され、箱本体の内部に箱正面板と箱背面板との間に仕切りが配されて、前記仕切りの箱正面板側の端部に、箱正面板側に突出して前記箱上面フラップを係止させて該箱上面フラップの倒れ状態を維持する係止部が設けられていることを特徴とするトップオープンカートン。
【請求項２】
上記箱上面フラップの中央と該箱上面フラップの中央に対応して前記貼着板が貼り付けられている箱正面板の中央との境界位置に沿って切り込みが入れられて、この切り込みの部分に箱正面板の中央の上縁部が位置している請求項１に記載のトップオープンカートン。
【請求項３】
上記箱上面フラップの中央と該箱上面フラップの中央に対応して前記貼着板が貼り付けられている箱正面板の中央との境界位置に、箱上面フラップの中央から箱正面板の中央に向けて円弧状にして出る切り込みを入れて、前記切り込みにより箱上面フラップの中央に外方に向けて出る張り出し部が切り込み形成されているとともに、前記張り出し部の下位に、前記箱正面板の中央の上縁部が位置している請求項１に記載のトップオープンカートン。
【請求項４】
上記箱正面板の中央における上縁部から貼着板の貼着部分にかけて縦の一本以上の切り込みを入れて、箱正面板の中央に、前記切り込みからなり貼着板押し込み抵抗を小さくする易押し込み手段が設けられている請求項２または３に記載のトップオープンカートン。
【請求項５】
上記箱正面板と箱上面フラップとの間の折り曲げられた境界部分の両端側に外方に向けて突出する係止舌片が切り込み形成され、蓋体の蓋正面板の両側に貼着された蓋側面板の貼着フラップに蓋体閉時に前記係止舌片が係脱可能に係止し、係止舌片の係止により蓋体の閉状態が維持される構成を有する請求項１から４の何れか一項に記載のトップオープンカートン。
【請求項６】
上記蓋体の蓋側面板における箱背面板側に切取部により区画された後貼着板が設けられ、該後貼着板が箱本体の箱側面板の外面に貼着され、この後貼着板を区画する前記切取部での破断により後貼着板を蓋側面板から分離させて蓋体の引き上げが可能となる構成を有する請求項１から５の何れか一項に記載のトップオープンカートン。
【発明の詳細な説明】
【技術分野】
【０００１】
本発明はビスケットやチョコレートなどの個包装された菓子を収納し、蓋体を開いて収容されている中身の菓子を取り出すことができるカートンであり、特に開封し易くしたトップオープンカートンに関するものである。
【背景技術】
【０００２】
従来から箱の天面に切り取りミシン目からなる切取部で区画して開くことのできる蓋を有し、開封に際して切取部を破断しながら蓋を開いて箱内部に収納されていた菓子を取り出すことができるようにしたトップオープンカートンがある。そして、このように菓子などを上方から取り出すことができるトップオープンカートンにあっては、特許文献１などに示されているように、箱底面板の四方の辺に箱正面板と箱背面板と箱側面板とを連設し、前記箱正面板に連設されていて取り出し口を有する箱上面板を箱内部側に折り倒して箱上面側を開口した形態とした箱本体と、箱本体の前記箱背面板に連設されて箱上面を覆う蓋上面板に箱本体の箱正面板の外面に重なる蓋正面板を連設した蓋体からなるものがある。このトップオープンカートンでは、蓋正面板に切り取りミシン目の切取部で区画されて左右一対とされた貼着板を箱本体の箱正面板に外面側から貼着して封止している。そして、前記貼着板の間にあって箱正面板に非貼着の開封開始片を摘み上げながら蓋上面板を持ち上げることで、貼着板が蓋正面板から分離されて箱正面板側に残り、収納物である菓子を箱上面板の開口を通して取り出し、開封した後に蓋体を閉じる場合には舌片状となっている開封開始片を、箱正面板とこれに連設されて額縁状となって開口を備えた前記箱上面板との間のスリットに差し入れることができるものとされていた。
【特許文献１】特許第３６８０５７０号公報
【発明の開示】
【発明が解決しようとする課題】
【０００３】
上記トップオープンカートンでは取り出し口となる開口を有した箱上面板を有するが、収納する菓子の個包装を板状の小袋とし、その小袋を複数列して収納できるようにするとの要望などから、例えば、つぎのようなトップオープンカートンが望まれている。即ち、上述した箱上面板を設けずに個包装の菓子それぞれを取り出し易くするとともに、箱内部の手前から奥にかけて、後倒して前位の小袋が後位の小袋に重なるように並べられたその小袋それぞれが、蓋体を開いたときに手前側に立ち起きることを防ぐようにするために、箱正面板に箱内部側に折り倒す箱上面フラップを連設して、折り倒されたその箱上面フラップで最前位の小袋を押え込むようにすることが望まれている。
さらに、箱内部に菓子の小袋が左右方向（箱側面板対向方向）に移動しないように箱内部に箱正面板の中央から箱背面板の中央にかけて仕切りを配することが望まれている。
【０００４】
このような点から、トップオープンカートンにおいて図１２に示す形態のものが検討されるようになった。図示されているようにトップオープンカートン１は箱本体２と蓋体３とからなり、前記箱本体２は箱底面板４の四辺に箱正面板５と箱背面板６と左右の箱側面板７とを連設して箱上面８が開口され、また、蓋体３は一辺を前記箱本体２の箱背面板６に回動可能にして連設されて閉時に箱上面８を覆う蓋上面板９を主体とし、この蓋上面板９の残り三辺に閉時に前記箱正面板５の外面側に重なる蓋正面板１０と前記箱側面板７の外面側に重なる蓋側面板１１とを連設したものである。そして、箱本体２では、箱内部に位置する小袋の手前への立ち起きを防ぐ目的で上記箱上面フラップ１２を連設してこれを箱内部側に折り倒している。また、箱内部において小袋を仕切るための仕切り１３が箱正面板５の中央側から箱背面板６の中央側にかけて配置し、この仕切り１３を小袋を受けるトレーと一体に形成していた。箱本体２と蓋体３とは連続したブランクを折り上げて構成される紙製のものであり、先述したトレー一体の仕切り１３についても紙製のものとされている。
さらに、このトップオープンカートンにおいては小売り店舗での陳列時に不正に開けられることのないようにした工夫を有しているものであって、蓋正面板１０の中央に、切り取りミシン目からなる切取部１４（図３参照）により区画された貼着板１５を箱本体２の箱正面板５に貼着して、この貼着板１５を介して蓋正面板１０を箱正面板５に取付固定し、前記貼着板１５を箱内部に向けて押し込むことで切取部１４を破断し、貼着板１５を蓋正面板１０から分離させて蓋正面板１０と箱正面板５とが分離できるように、即ち、未開封状態であったトップオープンカートン１が開封できて蓋体３を引き上げて、収納している小袋の菓子を取り出すものとしていた（なお、蓋体３が閉状態の未開封のトップオープンカートン１については図３参照）。
【０００５】
ところで、上述のトップオープンカートンを開封する場合、箱本体を箱底面板側から一方の手で下支えし、その下支えする手の親指を貼着板に押し付けて切取部を切断ながら箱本体を前下がりに少し降ろすようにするとともに、他方の手で蓋体を持ってこの蓋体を前上がりとなるように上方へと引き起こす操作が行なわれる可能性が高い。このように、箱本体を前下がりで蓋体を開くようになることから、その蓋体が開いた時に箱内部の小袋が立ち起き易く、上述したように箱上面フラップを折り倒したのみであることから、立ち起きろうとする前記小袋に箱内部側から押されて箱上面フラップ自体も立つ方向に回動し易くなっている。そのため、この箱上面フラップによる小袋への押え込みが弱くなって、蓋体を開いたときに小袋が飛び出る可能性を解消できないものとなっている。
そこで本発明は上記事情に鑑み、箱本体の箱上面フラップで収納物を適正に押え込むようにすることを課題とし、取り扱い容易なトップオープンカートンを得ることを目的とするものである。
【課題を解決するための手段】
【０００６】
本発明は上記課題を考慮してなされたもので、箱底面板に箱正面板と箱背面板と箱側面板とを連設して箱上面が開口されている箱本体と、前記箱本体の箱背面板に連設されて箱本体の箱上面を覆う蓋上面板に前記箱正面板の外面側に重なる蓋正面板と前記箱側面板の外面側に重なる蓋側面板とを連設した蓋体とからなり、前記蓋体の蓋正面板の中央に切取部により区画された貼着板を前記箱本体の箱正面板に貼着して、この貼着板を介して蓋正面板が箱正面板に取付固定されているとともに、前記貼着板に対する押し込みによる前記切取部の破断で貼着板を蓋正面板から分離させて蓋正面板と箱正面板とが分離可能に設けられているトップオープンカートンであって、前記箱本体の箱正面板に箱上面フラップを連設して、該箱上面フラップが箱本体の内部に向けて折り倒され、箱本体の内部に箱正面板と箱背面板との間に仕切りが配されて、前記仕切りの箱正面板側の端部に、箱正面板側に突出して前記箱上面フラップを係止させて該箱上面フラップの倒れ状態を維持する係止部が設けられていることを特徴とするトップオープンカートンを提供して、上記課題を解消する。
【０００７】
本発明において、上記箱上面フラップの中央と該箱上面フラップの中央に対応して前記貼着板が貼り付けられている箱正面板の中央との境界位置に沿って切り込みが入れられて、この切り込みの部分に箱正面板の中央の上縁部が位置しているものである良好である。
【０００８】
また、本発明において、上記箱上面フラップの中央と該箱上面フラップの中央に対応して前記貼着板が貼り付けられている箱正面板の中央との境界位置に、箱上面フラップの中央から箱正面板の中央に向けて円弧状にして出る切り込みを入れて、前記切り込みにより箱上面フラップの中央に外方に向けて出る張り出し部が切り込み形成されているとともに、前記張り出し部の下位に、前記箱正面板の中央の上縁部が位置しているものであることが良好である。
【０００９】
また、本発明において、上記箱正面板の中央における上縁部から貼着板の貼着部分にかけて縦の一本以上の切り込みを入れて、箱正面板の中央に、前記切り込みからなり貼着板押し込み抵抗を小さくする易押し込み手段が設けられているものであることが良好である。
【００１０】
また、本発明において、上記箱正面板と箱上面フラップとの間の折り曲げられた境界部分の両端側に外方に向けて突出する係止舌片が切り込み形成され、蓋体の蓋正面板の両側に貼着された蓋側面板の貼着フラップに蓋体閉時に前記係止舌片が係脱可能に係止し、係止舌片の係止により蓋体の閉状態が維持される構成を有するものであることが良好である。
【００１１】
また、本発明において、上記蓋体の蓋側面板における箱背面板側に切取部により区画された後貼着板が設けられ、該後貼着板が箱本体の箱側面板の外面に貼着され、この後貼着板を区画する前記切取部での破断により後貼着板を蓋側面板から分離させて蓋体の引き上げが可能となる構成を有するものであることが良好である。
【発明の効果】
【００１２】
請求項１の発明によれば、係止部によって箱上面フラップの倒れ状態が維持されるので、未開封のトップオープンカートンを開封する場合や開封済みのトップオープンカートンを開く場合に、箱本体を下げるとともに蓋体を上に上げるような横開きの操作をして収納物が入っている箱本体が前下がりに傾斜するようなことがあっても、箱上面フラップが最前位側の収納物を押さえてその収納物が起き上がらないようにするので、箱内部から収納物が飛び出したりすることがなく、よって収納物の飛び出しなどに注意を払うことなく蓋体を手軽に開くことができるようになる。
【００１３】
請求項２の発明によれば、仕切りの係止部に係止する箱上面フラップの中央と箱正面板の中央との間に切り込みがあるため、箱上面フラップの中央と箱正面板の中央とが直接に連続せずに縁が切れた状態となっており、開封に際して貼着板貼着部分を押し込んだときに、箱正面板の中央での貼着板貼着部分の上位置となる上縁部が箱上面フラップの中央の下側に入るようにして貼着板貼着部分が押し込まれ、この貼着板貼着部分の押し込み量が蓋正面板の他の部分に比べて大きくなって切断部が簡単に切断されるようになる。
また、仮に箱上面フラップの中央での切り込み縁に箱正面板中央の上縁部が引っ掛かった状態で貼着板貼着部分が押され、箱内部側に進んだ箱上面フラップが仕切りに突き当たってそれ以上は箱上面フラップが箱内部側に進まず止まることがあっても、貼着板貼着部分を押す力と箱上面フラップが進みが止まったこととによって箱正面板中央の上縁部が箱上面フラップの前記切り込み縁から外れ、この場合でも貼着板貼着部分の押し込み操作を継続でき、同様に貼着板貼着部分の押し込み量が蓋正面板の他の部分に比べて大きくなって貼着板を区画している切断部が簡単に切断されるようになり、開封時の操作が容易になる。
【００１４】
請求項３の発明によれば、箱上面フラップの中央における張り出し部の下位に、貼着板が貼り付けられている箱正面板の中央での上縁部が位置しているので、開封に際して前記貼着板を押し込んだときに前記箱上面フラップが仕切りに突き当たってそれ以上は箱上面フラップが箱内部側に向けて進まなくなったとしても、貼着板が貼着された部分を続けて押し込むことができるようになり、貼着板貼着部分の押し込み量が蓋正面板の他の部分に比べて大きくなって貼着板を区画している切取部を確実に破断できる。そのため、トップオープンカートンの開封に際しては単に貼着板が貼着されている部分を押し込むというだけのものとなり、開封時の操作が頗る簡単になる。
【００１５】
請求項４の発明によれば、貼着板貼着部分を押し込む力を小さくでき、切取部の破断がより簡単になる。
【００１６】
請求項５の発明によれば、開封した以降において蓋体を閉じたときには係止舌片が蓋体の蓋正面板裏面にある蓋側面板の貼着フラップに係脱可能に係止し、蓋体の閉状態が維持され、トップオープンカートンを持つなどしたときに無用な開きを防止できる。
【００１７】
請求項６の発明によれば、蓋正面板の中央の貼着板と蓋側面板の後貼着板との複数の貼着個所を介して蓋体を箱本体に取り付けておくことができ、未開封状態のときに箱内部に外部からのゴミなどの侵入を確実に防止できる。
【発明を実施するための最良の形態】
【００１８】
つぎに本発明を図１から図１１に示す実施の形態に基づいて詳細に説明する。なお、図１２に示す構成と重複する部分については同符号を付してその説明を省略する。
（第一の例）
本発明のトップオープンカートン１は箱本体２と蓋体３とからなり、箱本体２は箱底面板４に箱正面板５と箱背面板６と左右の箱側面板７とを連設して箱上面８を開口したものであり、また、蓋体３は箱本体２の箱背面板６に回動可能に連設した蓋上面板９に蓋正面板１０と左右の蓋側面板１１とが連設しているものであり、箱本体２にあっては、箱正面板５の両側の貼着フラップ５ａを箱側面板７の内面に貼り付け、箱背面板６の両側の貼着フラップ６ａを同じく箱側面板７の内面に貼り付けることで組み起こされ、蓋体３にあっては、蓋側面板１１の前端側に位置する貼着フラップ１１ａを蓋正面板１０の内面に貼り付けることで組み起こされている。
そして、上述したように蓋正面板１０の中央には、下向きのコ型としたミシン目からなる切取部１４により分離可能に区画された貼着板１５が位置している。また、箱本体２での箱正面板５には箱内部に向けて折り倒された状態にして箱上面フラップ１２が連設されていて、この箱上面フラップ１２にあっては図２のブランクで示すように両端１２ａが若干、箱内部側に張り出る形状とされていて、後述するように開封する際、また開封後の蓋体状態のトップオープンカートン１で蓋体３を開ける際、前記貼着板１５を押したときに倒れ込む箱上面フラップ１２で最前位に並ぶ小袋をより確実に押え込んで保持するように図られている。
【００１９】
さらにこのトップオープンカートン１では上述のように箱内部に配される仕切り１３は箱正面板５の中央５ｂと箱背面板６の中央６ｂとの間となるようにして位置しており、この仕切り１３で左右に分けられる領域に配される小袋を受けるトレー１７がこの仕切り１３に連続した状態にして箱底面板４に貼着されている。
また、箱内部に配された前記仕切り１３は、箱正面板５側の端部をその上縁側が残るように切り欠いた切り欠き部分２４を備え、上縁側の部分を箱正面板５の中央５ｂに向けて突出する形状の係止部１６として設けている。そして、この係止部１６に箱上面フラップ１２の中央１２ｂが係止して箱上面フラップ１２の起きを規制して倒れ状態を維持し、例えばそれぞれが後傾して重ね並べられた状態で収納した収納物の内、手前側に位置する収納物に対して箱上面フラップ１２がその収納物の後傾状態を保持し、その結果として後ろに並ぶ小袋にも起きが生じないようにしている。
【００２０】
このトップオープンカートン１の開封に際しては、図４に示すように箱正面板５の中央５ｂに貼り付けられている上記貼着板１５の部分を押し込めばよく、この貼着板貼着部分の押し込みによって箱正面板５の中央５ｂを含む箱正面板５全体が少し箱内部側に向けて倒れ込むようになり、一方、貼着板１５以外の蓋正面板１０は箱本体３側に貼着されていないので、貼着板貼着部分を押し込むときの倒れ込みに反発する抗力が生じるようになり、貼着版貼着部分が押し込まれる時点で貼着板１５を区画している切取部１４が破断し、蓋正面板１０と箱正面板５とを上下に分離できるようになり、このようにしてトップオープンカートン１の開封が行なえる。
開封に際して上記貼着板貼着部分の押し込みにより貼着板１５を区画している切取部１４を破断させて蓋正面板１０と箱正面板５とを分離できるようにした本トップオープンカートン１では、上述したように箱内部の仕切り１３に設けた係止部１６に箱上面フラップ１２の中央１２ｂを係止させて箱上面フラップ１２の倒れ状態を維持しているので、開封するときに、また、開封された後に閉じられた蓋体３を開くときに、このトップオープンカートン１を横開きして箱本体２が前下がりとなるようなことがあっても、前記箱上面フラップ１２が最前位側の小袋を保持するようにしているので、後倒状態で互いに重なりながら並んでいる小袋が飛び出たりすることがなく、そのため、開封時の蓋体３の開き操作や開封後の蓋体３の開き操作に注意を要することがなくなり、このトップオープンカートン１の取り扱いが頗る容易になる。
【００２１】
また、この実施の形態では係止部１６に係止する箱上面フラップ１２の中央１２ｂが、上記貼着板貼着部分の押し込みが行なわれたときに上記切り欠き部分２４により一層入り込むように進んでその傾斜状態が箱底面板４側に向くように倒れ込むものとされており、箱上面フラップ１２が両端１２ａも含めて全体が箱正面板５の上端部分（箱上面フラップ基端位置）を中心として箱底面板４側に向けて回動するように設けられている。
よって、前記貼着板貼着部分を押し込むときには、最前位側の小袋を押さえている箱上面フラップ１２に更に箱底面板４側に向けて回動する力が加わり、前記最前位側の小袋をより一層押え込むように作用するものとなっている。
【００２２】
さらに、本実施の形態において、一旦開封してから閉じた蓋体３が不用意には開かないようにした工夫が施されている。これは図示されているように、箱本体２の箱上面フラップ１２と箱正面板５との境界位置である折り部の両端に切り込みを入れ、箱組みに際して箱上面フラップ１２を折り倒すことで外方に向けて張り出る係止舌片２１からなるものであり、切り込み形成されたこの係止舌片２１が、閉じた蓋体３の蓋正面板１０の内面側にある蓋側面板１１の貼着フラップ１１ａの上縁に係脱可能に係止し、蓋体３の閉状態を維持できるようにしている。
【００２３】
そして、係止舌片２１それぞれは箱上面フラップ１２と一体となっていることから、この箱上面フラップ１２が箱正面板５の上端位置を中心として回動するときに同方向に回動するものとなり、係止舌片２１が上方に向けて回動することで上記貼着フラップ１１ａとの係止が解除されるように設けられている。
即ち、開封後に蓋体３を閉じた状態では係止舌片２１それぞれによって蓋体３の閉状態が維持されるが、上記貼着板１５が貼り付けられている部分を押し込むことで、箱上面フラップ１２が箱内部側へと進み、上記係止部１６に係止していることからこの箱上面フラップ１２全体は箱底面板４側へと回動するようになる。そのため、ほぼ水平方向で貼着フラップ１１ａに係止していた係止舌片２１それぞれが上方に向くように回動し、貼着フラップ１１ａとの係止状態が解かれる。これによって開封後のトップオープンカートン１では、貼着板１５の貼着部分を押して蓋体３の蓋正面板１０を上げるようにすれば、抵抗なく蓋体３を容易に開くことができる。
この貼着板１５の貼着部分の押し込みによって仕切り１３の係止部１６に案内された箱上面フラップ１２の回動で係止舌片２１が係止解除方向に回動する点は、前記係止部１６に、箱上面フラップ１２の中央１２ｂが下斜めの傾斜状態となって係止するようにしているものであるために構成が簡易であり、コストを引き上げるようなことはない。
【００２４】
なお、上述したように、貼着板１５の貼着部分の押し込みによって箱上面フラップ１２がより一層、最前位側の小袋を押え込むようにした構成や、上記係止舌片２１を回動させて蓋体３との係止を解除する構成は、未開封のトップオープンカートン１を開封する時と、開封後に蓋体３を開く時とのいずれにも有効に作用する。
【００２５】
さらに本実施の形態において、蓋体３における左右の蓋側面板１１の後部側（箱背面板６側）には、蓋側面板１１の下端から蓋側面板１１の上端を経て後部に達する切取部２２で分離可能に区画された後貼着板２３があり、この後貼着板２３が箱本体２の左右の箱側面板７に貼着されており、未開封の状態において上記貼着板１５とともに蓋体３の無用な開きを確実に防止して、ごみなどが箱内部に侵入しないようにしている。この後貼着板２３も開封操作が行なわれたときには切取部２２が破断するため、箱側面板７に残るようになる。
【００２６】
（第二の例）
上記例では、係止部１６に箱上面フラップ１２の中央１２ｂを係止させて、前記係止部１６によってこの箱上面フラップ１２の起きを規制して倒れ状態が維持されるようにし、一方、箱上面フラップ１２の中央１２ｂと箱正面板５の中央５ｂとの境界部分は折り部分とし、この箱正面板５の中央５ｂとが直接、連続させたものである。これによって、それぞれが後傾して重ね並べられた状態で収納した小袋の内、手前側に位置する小袋に対して箱上面フラップ１２がその小袋の後傾状態を保持し、蓋体３を開いて箱本体２が前下がりとなるときにも小袋が箱内部から飛び出ないようにしているものである。
この例では、トップオープンカートン１の開封に際して箱正面板５の中央５ｂに貼り付けられた蓋正面板１０の貼着板１５を箱内部に押し込むようにすると、係止部１６の強度確保などの点から箱上面フラップ１２の中央１２ｂが入り込む切り込み部分２４の奥行（箱背面板側への奥行寸法）がそれほど長くないため、上記切取部１４が破断するまでに貼着板１５の部分を押し込んで箱正面板５の中央５ｂを倒しながら箱上面フラップ１２の中央１２ｂを箱内部側に向けて深く進めるようにすることができない可能性がある。
図４は切取部１４が破断する直前の状態を示しているが、このように押し込んでも、箱上面フラップ１２の中央１２ｂの先端部分が切り欠き部分２４の奥に突き当たって貼着板貼着部分の押し込み量が不足し、切取部１４が完全に破断しないという可能性がある。逆に箱上面フラップ１２の少なくとも中央１２ｂの長さ寸法を小さくすることも考えられるが、小袋を押え込むための強度を確保するためには或る程度の長さが必要であり、その長さを確保すると、前述の突き当たりが発生し易くなる。
【００２７】
そこで、第二の例では、図５〜７に示すように、貼着板貼着部分を押す際の押し込み量を大きくすることを目的として、箱上面フラップ１２の中央１２ｂと貼着板１５が貼り付けられている箱正面板５の中央５ｂとの境界位置に折り部に沿って直線状の切り込み２５を入れて、この切り込み２５の部分に箱正面板５の中央５ｂの上縁部１９が位置するようにしたものであり、他の構成は上記第一の例と同じである。
この第二の例では、貼着板１５が貼着された箱正面板５の中央５ｂにおける上縁部１９が移動し易いようになっている。即ち、仕切り１３の係止部１６に係止する箱上面フラップ１２の中央１２ｂと箱正面板５の中央５ｂとの間に切り込み２５があるため、箱上面フラップ１２の中央１２ｂと箱正面板５の中央５ｂとが直接に連続せずに縁が切れた状態となっている。開封に際して貼着板貼着部分を押し込んだときに、貼着板貼着部分の上位置となる上縁部１９が箱上面フラップ１２の中央１２ｂの下側に入るようにして貼着板貼着部分が押し込まれ、この貼着板貼着部分の押し込み量が蓋正面板１０の他の部分に比べて大きくなって切断部１４が簡単に切断されるようになる。
仮に、図７において中央１２ｂを仮想線で示している状態のように、箱上面フラップ１２の中央１２ｂでの切り込み縁に上記上縁部１９が引っ掛かった状態のままで貼着板貼着部分が押され、箱内部側に進んだ箱上面フラップ１２の中央１２ｂが仕切り１３の切り欠き部分２４に突き当たってそれ以上は箱上面フラップ１２が箱内部側に進まず止まることがあっても、貼着板貼着部分を押す力が加わっていることと、箱上面フラップ１２が進みが止まったこととによって上縁部１９が箱上面フラップ１２の前記切り込み縁から外れるようになる。
このように進みが止まった箱上面フラップ１２の切り込み縁から上縁部１９が外れることから貼着板貼着部分の押し込み操作を継続でき、上記例と同様に貼着板貼着部分の押し込み量が蓋正面板１０の他の部分に比べて大きくなって貼着板１５を区画している切断部１４が簡単に切断されるようになり、開封時の操作が容易になる。
【００２８】
（第三の例）
上記例においては、貼着板貼着部分を押し込むときに、上述したように箱正面板５の中央５ｂの上縁部１９が箱上面フラップ１２の中央１２ｂでの切り込み縁に引っ掛かった状態となることがある。これは、上記係止部１６が箱上面フラップ１２の中央１２ｂに係止してこの部分を下方に押し下げるように作用し、箱正面板５の中央５ｂの内側であって上縁部１９の高さより下位に、前記箱上面フラップ１２の中央１２ｂが下がって当接するように位置する状態である。
そのため、貼着板１５を押し込む過程で、仕切り１３の切り欠き部分２４の奥に突き当たって進みが止まった箱上面フラップ１２の中央１２ｂの下面側に、箱正面板５の中央５ｂの前記上縁部１９が回り込むまでに、貼着板貼着部分の押し込み操作に若干の抵抗が生じる可能性がある。
そこで第三の例では、以下の構成によって上記抵抗が生じないようにしているものである。
【００２９】
この第三の例（図９から図１１）では、まず、図９のブランク状態で示されているように、箱上面フラップ１２の中央１２ｂと箱正面板５の中央５ｂとの間において、箱上面フラップ１２と箱正面板５との折り部となる境界位置に揃うようにして箱上面フラップ１２の中央１２ｂから箱正面板５の中央５ｂに向けて円弧状にして出る切り込みを入れて、箱組みでの箱上面フラップ１２の折り倒しにより外方に向けて張り出る張り出し部１８が切り込み形成されている。
このように張り出し部１８が切り込み形成されて外方に向けて張り出ていることから、そして切り込み部分の箱正面側の切断縁として箱正面板５の中央５ｂの上縁部１９が位置しているものであることから、その上縁部１９が張り出し部１８の下位に非接触状態で位置するものとなっており、前記張り出し部１８の張り出し方向とは反対側（箱内部側）に押されることになる箱正面板５の中央５ｂが、前記箱上面フラップ１２の中央１２ｂと直接的には連続していない状態である（図１０参照）。よって、未開封のトップオープンカートン１において、箱正面板５の中央５ｂに貼り合わされている蓋正面板１０の貼着板１５を押し込んだときに、直ぐに箱上面フラップ１２の中央１２ｂが切り欠き部分２４の奥に突き当たったとしても、この突き当たりに規制されることなく貼着板１５が貼着されている箱正面板５の中央５ｂの貼着板貼着部分をさらに押し込むことができ、突き当たりにより止まっている箱上面フラップ１２の中央１２ｂとの当接も無いため、この中央１２ｂから直接的な抵抗を受けることなく小さな力で押し込むことができるようになる。
このようにして貼着板１５が貼り付けられている部分を深く箱内部に向けて押し込むことができるようになっているため、また、蓋正面板１０の貼着版以外の部分は貼着されておらず、押し込みに従ってその部分（貼着版以外の部分）で反発する力が大きくなるため、貼着板１５を区画している切取部１４が適正に破断するようになる（図１１）。
なお、張り出し部１８における箱正面板５の中央５ｂの上縁部１９の上方位置から外方への張り出し量はそれほど大きくする必要はなく、切り込みをゆるやかな円弧状とするだけで、箱正面板５の中央５ｂの上縁部１９が確実に張り出し部１８の下位に位置するようになる。
【００３０】
さらに、この例では、未開封のトップオープンカートン１での貼着板１５が貼り付けられた部分をより押し込み易くするため、箱正面板５からの押し込みに対する抵抗を軽減する工夫が施されていて、貼着板１５の貼着部分から上記上縁部１９にかけて三本の縦の切り込みを入れてなる易押し込み手段２０が設けられている。この易押し込み手段２０は縦の切り込みからなるため、貼着板１５を押し込むようにしたときに箱正面板５の中央５ｂにおける上縁部１９が開くようになり、箱正面板５の中央５ｂでの長さ方向での引っ張り力が押し込む時の力に対しての抗力として大きく作用することがない。
そのため、小さな力で貼着板１５の貼着部分を外方から押し込んでも押し込み量が大きくなる。よって、この易押し込み手段２０の働きによって切取部１４の破断がより一層確実に行なえるものとなる。
【００３１】
この第三の例において、上記点以外の箱上面フラップ１２の小袋に対する保持や係止舌片２１の作用、後貼着板２３の作用は上記各例と同じように有しているものである。
【図面の簡単な説明】
【００３２】
【図１】本発明に係るトップオープンカートンの第一の例において開封後に蓋体を開いた状態を示す説明図である。
【図２】第一の例での箱本体と蓋体とをブランクの状態で示す説明図である。
【図３】第一の例でのトップオープンカートンを示す説明図である。
【図４】第一の例での貼着板貼着部分の押し込みを示す説明図である。
【図５】第二の例において開封後に蓋体を開いた状態を示す説明図である。
【図６】第二の例での箱本体と蓋体とをブランクの状態で示す説明図である。
【図７】第二の例での貼着板貼着部分の押し込みを示す説明図である。
【図８】第三の例において開封後に蓋体を開いた状態を示す説明図である。
【図９】第三の例での箱本体と蓋体とをブランクの状態で示す説明図である。
【図１０】第三の例での貼着板貼着部分を断面で示す説明図である。
【図１１】第三の例での切取部が判断した状態を示す説明図である。
【図１２】箱上面フラップと仕切りとを有するトップオープンカートンの例を示す説明図である。
【符号の説明】
【００３３】
１…トップオープンカートン
２…箱本体
３…蓋体
４…箱底面板
５…箱正面板
５ｂ…箱正面板の中央
６…箱背面板
６ｂ…箱背面板の中央
７…箱側面板
８…箱上面
９…蓋上面板
１０…蓋正面板
１１…蓋側面板
１２…箱上面フラップ
１２ｂ…箱上面フラップの中央
１３…仕切り
１４…切取部
１５…貼着板
１６…係止部
１８…張り出し部
１９…箱正面板の中央の上縁部
２０…易押し込み手段
２１…係止舌片
２２…切取部
２３…後貼着板
２４…切り欠き部分
【図１】
0004775096.tif 000002
【図２】
0004775096.tif 000003
【図３】
0004775096.tif 000004
【図４】
0004775096.tif 000005
【図５】
0004775096.tif 000006
【図６】
0004775096.tif 000007
【図７】
0004775096.tif 000008
【図８】
0004775096.tif 000009
【図９】
0004775096.tif 000010
【図１０】
0004775096.tif 000011
【図１１】
0004775096.tif 000012
【図１２】
0004775096.tif 000013